(57)【要約】【課題】収納代行の決済を効率的に行うことが可能な商品販売データ処理装置及びプログラムを提供する。【解決手段】収納代行に係る払込用紙の挿入を受け付ける受付部と、商品から当該商品の金額を特定可能な情報を取得する第１取得手段と、前記払込用紙から払込先に収める金額を特定可能な情報を取得する第２取得手段と、一取引で取得された前記情報で特定される金額に基づき決済処理を実行する決済手段と、前記第２取得手段で取得された前記情報に基づく決済処理が実行されたことを条件に、挿入された前記払込用紙の一要素である受領証に対し受領印を押印する押印手段と、前記受領印が押印された前記受領証を前記払込用紙から切り離す切断手段と、切り離された前記受領証を排出する排出手段と、を備える。【選択図】図３
2019128779.tif 000002
【特許請求の範囲】
【請求項１】
収納代行に係る払込用紙の挿入を受け付ける受付部と、
商品から当該商品の金額を特定可能な情報を取得する第１取得手段と、
前記払込用紙から払込先に収める金額を特定可能な情報を取得する第２取得手段と、
一取引で取得された前記情報で特定される金額に基づき決済処理を実行する決済手段と、
前記第２取得手段で取得された前記情報に基づく決済処理が実行されたことを条件に、挿入された前記払込用紙の一要素である受領証に対し受領印を押印する押印手段と、
前記受領印が押印された前記受領証を前記払込用紙から切り離す切断手段と、
切り離された前記受領証を排出する排出手段と、
を備える商品販売データ処理装置。
【請求項２】
前記受領証が切り離された前記払込用紙を収納する収納部を更に備える請求項１に記載の商品販売データ処理装置。
【請求項３】
前記払込用紙は、前記受領証以外の要素である他の紙片を複数含み、
前記切断手段は、前記払込用紙に含まれた前記他の紙片間の一部を切り離すパーシャルカットを施し、
前記収納部は、前記パーシャルカットが施された前記払込用紙を収納する請求項２に記載の商品販売データ処理装置。
【請求項４】
前記第２取得手段が前記情報を取得したことを条件に、前記払込用紙の挿入を促す画面を表示部に表示するガイダンス手段を更に備える請求項１〜３の何れか一項に記載の商品販売データ処理装置。
【請求項５】
前記決済処理の内訳を印字したレシートを取引毎に発行する発行手段を更に備え、
前記発行手段は、前記第１取得手段で取得された前記情報に基づく決済処理と、前記第２取得手段で取得された前記情報に基づく決済処理とが実行されると、当該決済処理の内訳を同一のレシート又は別々のレシートに印字する請求項１〜４の何れか一項に記載の商品販売データ処理装置。
【請求項６】
払込用紙の挿入を受け付ける受付部を備えた商品販売データ処理装置のコンピュータを、
商品から当該商品の金額を特定可能な情報を取得する第１取得手段と、
前記払込用紙から払込先に収める金額を特定可能な情報を取得する第２取得手段と、
一取引で取得された前記情報で特定される金額に基づき決済処理を実行する決済手段と、
前記第２取得手段で取得された前記情報に基づく決済処理が実行されたことを条件に、挿入された前記払込用紙の一要素である受領証に対し受領印を押印する押印手段と、
前記受領印が押印された前記受領証を前記払込用紙から切り離す切断手段と、
切り離された前記受領証を排出する排出手段と、
して機能させるためのプログラム。
【発明の詳細な説明】
【技術分野】
【０００１】
本発明の実施形態は、商品販売データ処理装置及びプログラムに関する。
【背景技術】
【０００２】
従来、公共料金や税金、通信販売等の支払いの受付を、コンビニエンスストア等の代行業者が行う収納代行サービスがある。例えば、コードシンボル付の払込用紙が用いられる場合、ＰＯＳ（Point  Of  Sales）端末等の商品販売データ処理装置では、スキャナがコードシンボルから読み取った払込先名称や口座番号、払込金額等の情報入力を受付ける。店員は客から払込金額を受領すると、商品販売データ処理装置にて決済処理を行い、プリンタから受領伝票（レシート）を発行させる。そして、店員は、受領印を押印した受領証を払込取扱票から切り離し、レシートとともに客に手渡している。
【０００３】
また、近年では、客自身が商品の登録処理や決済処理を行うセルフ方式の商品販売データ処理装置も存在する。セルフ方式の商品販売データ処理装置においても、収納代行の決済を行うことが要望されており、種々の技術が提案されている。例えば、収納代行の決済が行われると受領ラベルを発行し、この受領ラベルを支払用紙（払込用紙）の一紙片である受領証に貼付すること及び受領証以外の紙片を回収ボックスに投入することをガイダンス表示する技術が提案されている。これにより、客は、ガイダンスに従い、受領証に受領ラベルを貼付し、受領証以外の紙片を回収ボックスに投入することで受領証を持ち帰ることができる。
【０００４】
しかしながら、上記した従来の技術では、客自身が受領ラベルの貼付や受領証の切り離しを行うため煩雑であり、効率化の観点において改善の余地がある。
【発明の概要】
【発明が解決しようとする課題】
【０００５】
本発明が解決しようとする課題は、収納代行の決済を効率的に行うことが可能な商品販売データ処理装置及びプログラムを提供することである。
【課題を解決するための手段】
【０００６】
実施形態の商品販売データ処理装置は、収納代行に係る払込用紙の挿入を受け付ける受付部と、商品から当該商品の金額を特定可能な情報を取得する第１取得手段と、前記払込用紙から払込先に収める金額を特定可能な情報を取得する第２取得手段と、一取引で取得された前記情報で特定される金額に基づき決済処理を実行する決済手段と、前記第２取得手段で取得された前記情報に基づく決済処理が実行されたことを条件に、挿入された前記払込用紙の一要素である受領証に対し受領印を押印する押印手段と、前記受領印が押印された前記受領証を前記払込用紙から切り離す切断手段と、切り離された前記受領証を排出する排出手段と、を備える。
【図面の簡単な説明】
【０００７】
【図１】図１は、実施形態に係る商品販売データ処理装置の外観構成の一例を示す斜視図である。
【図２】図２は、実施形態に係る払込用紙の一例を模式的に示す図である。
【図３】図３は、実施形態に係る用紙処理部の概略構成を模式的に示す図である。
【図４】図４は、実施形態に係る商品販売データ処理装置のハードウェア構成の一例を示す図である。
【図５】図５は、実施形態に係る商品販売データ処理装置の機能構成の一例を示す図である。
【図６】図６は、実施形態の商品販売データ処理装置が行う決済処理の一例を示すフローチャートである。
【発明を実施するための形態】
【０００８】
以下、図面を参照して、実施形態に係る商品販売データ処理装置について説明する。以下の実施形態では、コンビニエンスストアやスーパーマーケット等の小売店に設けられる、セルフ方式の商品販売データ処理装置（以下、セルフＰＯＳという）を例に説明するが、本発明はこの実施形態に限定されるものではない。
【０００９】
図１は、セルフＰＯＳ１の外観構成の一例を示す斜視図である。図１に示すように、セルフＰＯＳ１は、本体部１０と、第１の載置台２０と第２の載置台３０とを備える。本体部１０は、第１の載置台２０と第２の載置台３０との間に設けられる。
【００１０】
本体部１０は、第１の筐体１１と、第２の筐体１２と、入出金部１３と、定置スキャナ１４と、表示操作パネル１５と、カードリーダライタ１６と、プリンタ１７と、払込用紙入出部１８とを備える。
【００１１】
第１の筐体１１は、略箱状に形成されており、後述する制御部１０１（図４参照）や、入出金部１３、払込用紙入出部１８等を内蔵する。第２の筐体１２は、定置スキャナ１４及びプリンタ１７の外殻であり、第１の筐体１１の上面に設けられる。
【００１２】
入出金部１３は、紙幣入金口１３１と、紙幣出金口１３２と、硬貨入金口１３３と、硬貨出金口１３４とを備える。入出金部１３は、紙幣入金口１３１や硬貨入金口１３３に投入された紙幣及び硬貨を受け入れ、金種毎に分別して収納する。そして、入出金部１３は、制御部１０１の要求に応じて、釣銭を紙幣出金口１３２や硬貨出金口１３４から払い出す。
【００１３】
定置スキャナ１４は、第１の筐体１１の上部に設けられた撮像窓１４１と、第１の筐体１１に内蔵された撮像部（図示せず）とを有する。撮像部は、撮像窓１４１の前にかざされた例えばバーコード等のコードシンボル像を撮像し、撮像したコードシンボル像をデコードする。そして、撮像部は、デコードしたコード情報を制御部１０１に出力する。なお、コードシンボルのデコードは制御部１０１等の他の部位が行う構成としてもよい。
【００１４】
表示操作パネル１５は、表示器１５１と、タッチパネル１５２とを備え、第２の筐体１２の上部に取り付けられている。表示器１５１は、制御部１０１の制御に従って各種の画面（画像）を表示する。タッチパネル１５２は、表示器１５１の表示面上に設けられており、触れた位置に基づく情報をユーザ操作として制御部１０１に出力する。
【００１５】
カードリーダライタ１６は、第１の筐体１１の上面の、第２の筐体１２の横に配されている。カードリーダライタ１６は、カード媒体に対して情報を読み書きする。例えば、カードリーダライタ１６は、クレジットカードや、プリペイド方式又はポストペイ方式の電子マネーカード等のカード媒体から、クレジット決済や電子決済に用いる情報を読み出し、制御部１０１に出力する。
【００１６】
プリンタ１７は、第２の筐体１２に内蔵された印刷部（図示せず）と、第２の筐体１２の前面に設けられたレシート発行口１７１とを有している。プリンタ１７は、印刷部によって印刷したレシートをレシート発行口１７１から発行する。
【００１７】
払込用紙入出部１８は、第１の筐体１１の前面に設けられた入出口１８１と、第１の筐体１１に内蔵され、入出口１８１に接続された用紙処理部１８２（図３参照）とを有している。入出口１８１は、受付部の一例である。入出口１８１は、収納代行に係る払込用紙Ｐの挿入を受け付ける。なお、入出口１８１は、払込用紙Ｐの挿入を検出するためのセンサを備えてもよい。
【００１８】
図２は、払込用紙Ｐの一例を模式的に示す図である。払込用紙Ｐは、収納代行用の払込用紙である。払込用紙Ｐは、複数の紙片に分離されるよう形成されている。例えば、図２の払込用紙Ｐは、払込取扱票Ｐ１と、振替払込請求書兼受領証Ｐ２と、払込受領証Ｐ３との３つの紙片（要素）で構成される。各紙片の間には、ミシン目が形成されている。
【００１９】
払込取扱票Ｐ１には、コードシンボルであるバーコードＢ１が付されている。バーコードＢ１には、払込情報が保持されている。払込情報は、払込先の名称や口座番号、当該払込先に収める金額（払込金額）等の情報を含む。つまり、払込情報は、払込先に収める金額を特定可能な情報として機能する。また、払込取扱票Ｐ１、振替払込請求書兼受領証Ｐ２及び払込受領証Ｐ３には、上記した払込情報等が視認可能に印字されている（図示せず）。
【００２０】
払込用紙Ｐのうち、払込受領証Ｐ３は、収納代行の決済後、客に渡される受領証である。払込受領証Ｐ３には、収納代行の決済が完了したことを示す受領印を押印するための受領印欄Ｐ３ａが設けられている。また、払込用紙Ｐのうち、払込取扱票Ｐ１及び振替払込請求書兼受領証Ｐ２は、収納代行の決済後、店舗にて保管される他の紙片である。以下、払込取扱票Ｐ１と振替払込請求書兼受領証Ｐ２とを総称して「保管用書類Ｐ４」という。
【００２１】
なお、入出口１８１に対する払込用紙Ｐの挿入方向は、予め定められているものとする。例えば、払込用紙Ｐは、図２に示した矢印方向でセルフＰＯＳ１内に挿入される。
【００２２】
用紙処理部１８２は、入出口１８１に接続される。用紙処理部１８２は、図３に示すように、入出口１８１に挿入された払込用紙Ｐに対し、受領印（領収印）の押印や払込受領証Ｐ３の切り離し等を行うための機構を備える。
【００２３】
図３は、用紙処理部１８２の概略構成を模式的に示す図である。図３に示すように、用紙処理部１８２は、搬送部１８２１と、押印部１８２２と、切断部１８２３と、収納部１８２４とを備える。
【００２４】
搬送部１８２１は、入出口１８１に挿入された払込用紙Ｐを搬送路１８２５上で搬送するための機構である。搬送部１８２１は、搬送路１８２５に沿って設けられている。搬送路１８２５は、入出口１８１から収納部１８２４に至る第１の搬送路１８２５ａと、第１の搬送路１８２５ａ上から入出口１８１に戻るための第２の搬送路１８２５ｂとを有する。
【００２５】
押印部１８２２は、後述する制御部１０１（図４参照）と協働することで、押印手段として機能する。押印部１８２２は、払込用紙Ｐに対し受領印を押印するための装置である。押印部１８２２は、後述する制御部１０１の制御の下、第１の搬送路１８２５ａ上を搬送される払込用紙Ｐに対し受領印を押印する。具体的には、押印部１８２２は、払込用紙Ｐ（払込受領証Ｐ３）に設けられた受領印欄Ｐ３ａに対し受領印を押印する。ここで、「押印」は、スタンプの押印に限らず、印影画像の印刷をも含む概念である。
【００２６】
なお、押印部１８２２の装置構成は特に問わず、自動押印機等の公知の技術を用いてもよい。また、押印部１８２２は、払込用紙Ｐから押印欄を検出するためのセンサや画像（文字）認識機能等を備えてもよい。また、押印部１８２２は、押印日を示す情報や自店舗を識別可能な情報等を含んだ受領印を押印する構成としてもよい。
【００２７】
切断部１８２３は、後述する制御部１０１（図４参照）と協働することで、切断手段として機能する。切断部１８２３は、払込用紙Ｐから払込受領証Ｐ３を切り離すための装置である。切断部１８２３は、押印部１８２２と収納部１８２４との間に設けられる。切断部１８２３は、後述する制御部１０１の制御の下、受領印が押印された払込受領証Ｐ３を払込用紙Ｐから切り離す。具体的には、切断部１８２３は、払込受領証Ｐ３と他の紙片（保管用書類Ｐ４）との間に設けられたミシン目に沿って、払込用紙Ｐから払込受領証Ｐ３を切り離す。
【００２８】
なお、切断部１８２３の装置構成は特に問わず、カッター機構等の公知の技術を用いてもよい。また、切断部１８２３は、払込受領証Ｐ３と保管用書類Ｐ４との間のミシン目を検出するためのセンサや画像（文字）認識機能等を備えてもよい。
【００２９】
収納部１８２４は、収納部の一例である。収納部１８２４は、払込受領証Ｐ３が切り離された保管用書類Ｐ４を収納するための容器である。収納部１８２４は、第１の搬送路１８２５ａの下流側（終端側）に設けられている。収納部１８２４は、第１の搬送路１８２５ａに沿って搬送されてきた保管用書類Ｐ４を収納する。なお、収納部１８２４は、セルフＰＯＳ１（第１の筐体１１）に対して着脱可能な構成としてもよい。
【００３０】
上記の構成において、搬送部１８２１は、後述する制御部１０１（図４参照）の制御に従い払込用紙Ｐを搬送する。例えば、搬送部１８２１は、入出口１８１に挿入された払込用紙Ｐを第１の搬送路１８２５ａに沿って搬送する。また、搬送部１８２１は、払込受領証Ｐ３が切り離された残りの払込用紙Ｐ（保管用書類Ｐ４）を収納部１８２４に向けて搬送する。また、搬送部１８２１は、切断部１８２３によって払込用紙Ｐから切り離された払込受領証Ｐ３を第２の搬送路１８２５ｂに沿って搬送し、入出口１８１から排出させる。つまり、搬送部１８２１は、後述する制御部１０１（図４参照）と協働することで、払込受領証Ｐ３を排出する排出手段として機能する。なお、搬送部１８２１の搬送機構や、払込受領証Ｐ３と保管用書類Ｐ４との分離に係る機構は特に問わず、公知の技術を用いてもよい。
【００３１】
図１に戻り、第１の載置台２０は、登録前の商品が入れられた籠を載せるための台であって、本体部１０の側面部に固定されている。第２の載置台３０は、登録済の商品を載せるための台であって、本体部１０を挟んで第１の載置台２０の反対側に設置されている。
【００３２】
第２の載置台３０は、データ登録済の商品を入れる持帰り袋を掛けるためのフック３１や、データ登録済の商品を持帰り袋に入れる前に一時的に置いておくための一時置台３２を備える。一時置台３２には、例えば卵やパンなど、破損や変形のおそれがあるために最後に袋詰めしたいものなどが置かれる。
【００３３】
また、第２の載置台３０は、計量器（図示せず）を内蔵する。セルフＰＯＳ１（制御部１０１）は、計量器の出力から、袋詰めされた商品が適切に登録されたか判断している。係る判断は、商品の登録と袋詰めとのタイミングを確認することで行ってもよいし、さらには、各商品の重量を商品情報としてＰＬＵファイル等に予め記憶しておき、データ登録された商品の重量と計量器による計量値の増分とを比較するなどしてもよい。
【００３４】
また、第１の載置台２０にも計量器を内蔵する構成としてもよい。この構成とする場合、セルフＰＯＳ１は、商品の総重量が登録の前後で変わらないことを確認することができる。
【００３５】
このようなセルフＰＯＳ１において、オペレータである客は、第１の載置台２０上の商品を手に取り、当該商品の登録を本体部１０で行い、当該商品を第２の載置台３０に置く。この動作を客は繰り返し行い、商品が第１の載置台２０上から第２の載置台３０上へ全て移動すると、本体部１０で決済を行う。
【００３６】
なお、セルフＰＯＳ１は、図１の構成に限定されないものとする。例えば、セルフＰＯＳ１は、第１の載置台２０及び第２の載置台３０の何れか一方又は両方を備えない構成としてもよい。
【００３７】
次に、上記したセルフＰＯＳ１のハードウェア構成について説明する。図４は、セルフＰＯＳ１のハードウェア構成の一例を示す図である。
【００３８】
図４に示すように、セルフＰＯＳ１の本体部１０は、ＣＰＵ（Central  Processing  Unit）、記憶媒体であるＲＯＭ（Read  Only  Memory）及びＲＡＭ（Random  Access  Memory）等で構成されるコンピュータ構成の制御部１０１を備える。ＣＰＵは、セルフＰＯＳ１のプロセッサである。ＲＯＭは、ＣＰＵが実行する各種プログラムや各種データを記憶する。ＲＡＭは、ＣＰＵが各種プログラムを実行する際に一時的にデータやプログラムを記憶する。
【００３９】
制御部１０１は、バス等を介して、上述した入出金部１３、定置スキャナ１４、表示器１５１、タッチパネル１５２、カードリーダライタ１６、プリンタ１７（印刷部）、払込用紙入出部１８（用紙処理部１８２）、第２の載置台３０（計量器）等に接続される。また、制御部１０１は、バス等を介して、本体部１０に内蔵された記憶部１０２、通信Ｉ／Ｆ１０３等に接続される。
【００４０】
記憶部１０２は、ＨＤＤ（Hard  Disk  Drive）やＳＳＤ（Solid  State  Drive）等の、リードライト可能な不揮発性の記憶媒体を備えた記憶装置である。記憶部１０２は、制御部１０１（ＣＰＵ）が実行可能なプログラムや各種の設定情報を記憶する。また、記憶部１０２は、ＰＬＵファイル（図示せず）を記憶する。ＰＬＵファイルは、店舗で販売される商品毎に、ユニークに割り当てられた商品コードと、その商品の商品情報とを対応付けて格納する。係る商品情報は、商品名や金額（単価）、分類、重量等の商品に関する商品情報を対応付けて格納する。つまり、商品コードは、商品の金額を特定可能な情報として機能する。
【００４１】
通信Ｉ／Ｆ１０３は、図示しないネットワークに接続することが可能な通信装置である。制御部１０１は、通信Ｉ／Ｆ１０３を介して外部装置と通信を行う。例えば、制御部１０１は、通信Ｉ／Ｆ１０３を介して、払込用紙Ｐの払込情報で指示された金融機関（支払い先）へのアクセスを行う。
【００４２】
次に、図５を参照して、セルフＰＯＳ１の機能構成について説明する。図５は、セルフＰＯＳ１の機能構成の一例を示す図である。
【００４３】
図５に示すように、本体部１０の制御部１０１は、記憶部１０２に記憶されたプログラムを実行することで、コード情報取得部１１１と、商品登録部１１２と、収納代行支援部１１３と、決済処理部１１４とを機能部として実現する。
【００４４】
コード情報取得部１１１は、第１取得手段及び第２取得手段の一例である。コード情報取得部１１１は、定置スキャナ１４と協働することで、コードシンボルから読み取られたコード情報を取得する。具体的には、コード情報取得部１１１は、商品に付されたコードシンボルが保持する商品コードや、払込用紙Ｐに付されたバーコードＢ１が保持する払込情報を、コード情報として取得する。
【００４５】
商品登録部１１２は、客が購入する商品の登録処理を実行する。具体的には、商品登録部１１２は、コード情報取得部１１１により商品コードが取得されると、その商品コードに対応する商品をＰＬＵファイルから特定する。そして、商品登録部１１２は、特定した商品コードと、別途入力される商品の個数（購入数）等とを関連付けた販売データをＲＡＭや記憶部１０２等に記憶することで商品の登録を行う。
【００４６】
収納代行支援部１１３は、用紙処理部１８２と協働することで、押印手段、切断手段、排出手段及びガイダンス手段として機能する。収納代行支援部１１３は、用紙処理部１８２と協働し、収納代行の決済に係る作業を支援するための処理を実行する。例えば、収納代行支援部１１３は、コード情報取得部１１１により払込情報が取得されると、その払込情報をＲＡＭや記憶部１０２等に一時記憶させる。また、収納代行支援部１１３は、払込用紙Ｐを入出口１８１に挿入することを促す画面を表示器１５１に表示させる。そして、収納代行支援部１１３は、入出口１８１に払込用紙Ｐが挿入されると、搬送部１８２１を制御することで、挿入された払込用紙ＰをセルフＰＯＳ１（用紙処理部１８２）内に搬送させる。
【００４７】
決済処理部１１４は、決済手段及び発行手段の一例である。決済処理部１１４は、商品登録部１１２で登録された各商品の決済処理や、払込用紙Ｐの払込情報に基づいた収納代行の決済処理を取引毎に実行する。
【００４８】
例えば、商品の決済処理を実行する場合、決済処理部１１４は、商品登録部１１２で登録された各商品の商品コード及び個数と、ＰＬＵファイルに登録された当該商品コードの商品の価格とに基づき、登録された商品の合計金額を算出する。そして、決済処理部１１４は、算出した合計金額を、客が支払った金額（以下、支払金額）で決済する処理を実行する。ここで、支払金額は、入出金部１３を介して受け付けた金額であってもよいし、カードリーダライタ１６を介して受け付けた電子決済で利用可能な金額等であってもよい。
【００４９】
また、例えば、収納代行の決済処理を実行する場合、決済処理部１１４は、払込用紙Ｐの払込情報に指示された払込金額を、客の支払金額で決済する処理を実行する。より詳細には、決済処理部１１４は、払込情報で指示された払込金額分の代金を、その払込情報で指示された払込先（口座番号）に払い込むための処理を実行する。
【００５０】
決済処理部１１４は、一取引分の決済処理が完了すると、プリンタ１７を制御することで、その決済処理の内訳を印字したレシートを発行させる。なお、収納代行の決済処理を実行した場合には、決済処理部１１４は、入出口１８１から払込受領証Ｐ３が出力されることを案内する画面を表示器１５１に表示させてもよい。また、決済処理部１１４は、商品及び収納代行の決済処理を一の取引で行った場合には、これら決済処理の内訳を同一のレシートに印字してもよいし、別々のレシートに印字してもよい。
【００５１】
また、収納代行支援部１１３は、決済処理部１１４で収納代行の決済処理が実行されたことを条件に、払込受領証Ｐ３を排出するための制御を行う。
【００５２】
具体的には、収納代行支援部１１３は、押印部１８２２を制御し、入出口１８１から挿入された払込用紙Ｐの払込受領証Ｐ３（受領印欄Ｐ３ａ）に受領印を押印する。また、収納代行支援部１１３は、切断部１８２３を制御し、受領印が押印された受領印欄Ｐ３ａを払込用紙Ｐから切り離す。そして、収納代行支援部１１３は、切り離した受領印欄Ｐ３ａを第２の搬送路１８２５ｂに沿って入出口１８１に搬送し、残りの保管用書類Ｐ４を第１の搬送路１８２５ａに沿って収納部１８２４に搬送する。これにより、受領印が押印された受領印欄Ｐ３ａは、入出口１８１から排出され、保管用書類Ｐ４は、収納部１８２４に収納される。
【００５３】
次に、図６を参照して、セルフＰＯＳ１が行う決済処理について説明する。図６は、セルフＰＯＳ１が行う決済処理の一例を示すフローチャートである。
【００５４】
まず、制御部１０１は、ユーザ操作により取引の開始が指示されると（ステップＳ１１）、定置スキャナ１４を動作させ、コードシンボルを読み取り可能な状態とする。なお、制御部１０１は、定置スキャナ１４を常時又は所定時間間隔で動作させ、定置スキャナ１４でコードシンボルが読み取られたことを条件に取引開始と判断してもよい。
【００５５】
コード情報取得部１１１は、定置スキャナ１４がコードシンボルを読み取るまで待機する（ステップＳ１２；Ｎｏ→ステップＳ１８；Ｎｏ）。コード情報取得部１１１は、定置スキャナ１４でコードシンボルが読み取られると、そのコードシンボルに保持されたコード情報を取得する（ステップＳ１２；Ｙｅｓ）。
【００５６】
ステップＳ１２で取得されたコード情報が商品コードの場合（ステップＳ１３；Ｙｅｓ）、商品登録部１１２は、その商品コードに基づいて商品の登録処理を実行し（ステップＳ１４）、ステップＳ１８に移行する。
【００５７】
一方、取得されたコード情報が払込情報の場合（ステップＳ１３；Ｎｏ→ステップＳ１５；Ｙｅｓ）、収納代行支援部１１３は、払込用紙Ｐを入出口１８１に挿入することを促す画面を表示器１５１に表示させる（ステップＳ１６）。払込用紙Ｐが挿入されると、収納代行支援部１１３は、当該払込用紙Ｐを受け入れ、用紙処理部１８２内に搬送した後（ステップＳ１７）、ステップＳ１８に移行する。ここで、用紙処理部１８２内に搬送された払込用紙Ｐは、押印部１８２２の手前等で停止（待機）される。なお、取得されたコード情報が商品コード及び払込情報の何れでもない場合には（ステップＳ１５；Ｎｏ）、ステップＳ１２に戻る。
【００５８】
続くステップＳ１８において、決済処理部１１４は、ユーザ操作により決済開始が指示されたか否かを判定する（ステップＳ１８）。決済開始の指示がない場合（ステップＳ１８；Ｎｏ）、決済処理部１１４は、ステップＳ１２に処理を戻す。
【００５９】
決済処理部１１４は、決済開始の指示を受け付けると（ステップＳ１８；Ｙｅｓ）、登録された商品又は払込用紙Ｐに係る決済処理を実行する（ステップＳ１９）。なお、決済処理部１１４は、商品の登録と払込用紙Ｐの挿入とが一の取引で行われた場合、登録された商品及び払込用紙Ｐに係る決済処理を一度に行ってもよいし、別々に行ってもよい。
【００６０】
続いて、収納代行支援部１１３は、決済処理部１１４が収納代行の決済処理を実行したか否かを判定する（ステップＳ２０）。ここで、収納代行の決済処理が実行されていない場合（ステップＳ２０；Ｎｏ）、収納代行支援部１１３は、ステップＳ２５に処理を移行させる。なお、払込用紙Ｐが挿入されたにも関わらず、収納代行の決済処理が行われなかった場合には、収納代行支援部１１３は、挿入された払込用紙Ｐをそのまま入出口１８１から排出するよう搬送部１８２１を制御する。
【００６１】
一方、収納代行の決済処理が実行された場合（ステップＳ２０；Ｙｅｓ）、収納代行支援部１１３は、搬送部１８２１及び押印部１８２２を制御し、払込用紙Ｐの払込受領証Ｐ３（受領印欄Ｐ３ａ）に受領印を押印する（ステップＳ２１）。次いで、収納代行支援部１１３は、搬送部１８２１及び切断部１８２３を制御し、受領印が押印された払込受領証Ｐ３を払込用紙Ｐから切り離す（ステップＳ２２）。
【００６２】
続いて、収納代行支援部１１３は、搬送部１８２１を制御し、切り離された払込受領証Ｐ３を第２の搬送路１８２５ｂに沿って搬送することで、当該払込受領証Ｐ３を入出口１８１から排出させる（ステップＳ２３）。また、収納代行支援部１１３は、搬送部１８２１を制御し、保管用書類Ｐ４を第１の搬送路１８２５ａに沿って搬送することで、当該保管用書類Ｐ４を収納部１８２４に収納させる（ステップＳ２４）。なお、収納代行支援部１１３は、払込受領証Ｐ３の排出に先駆けて、払込受領証Ｐ３を入出口１８１から排出することを報知する画面を表示器１５１に表示させてもよい。
【００６３】
そして、決済処理部１１４は、ステップＳ１９で実行した決済処理の内訳を印字したレシートをプリンタ１７から発行させ（ステップＳ２５）、本処理を終了する。
【００６４】
以上のように、セルフＰＯＳ１は、収納代行の決済が行われると、用紙処理部１８２を制御することで、払込用紙Ｐに対する受領印の押印と、払込受領証Ｐ３の切り離しとを自動で行い、当該払込受領証Ｐ３を入出口１８１から排出する。これにより、客は、収納代行の決済後、受領印の押印や払込受領証Ｐ３の切り離し作業を行うことなく、排出された払込受領証Ｐ３を持ち帰ることができる。したがって、セルフＰＯＳ１は、収納代行の決済に際し、客の作業量を減らすことができるため、収納代行の決済の効率化を図ることができる。
【００６５】
また、セルフＰＯＳ１は、一取引の間に取得した商品コードと払込情報とに基づいて、決済処理を実行する。これにより、客は、商品の決済と収納代行の決済とを別々に行うことなく、一の取引で一度に済ますことができる。したがって、セルフＰＯＳ１は、商品及び収納代行の決済の効率化を図ることができる。
【００６６】
なお、図６の決済処理では、セルフＰＯＳ１は、払込受領証Ｐ３を排出した後にレシートを発行する構成としたが、出力の順序はこれに限らず、同時又は逆順に出力してもよい。
【００６７】
以上、本発明の実施形態を説明したが、上記の実施形態は、例として提示したものであり、発明の範囲を限定することは意図していない。上記の新規な実施形態は、その他の様々な形態で実施されることが可能であり、発明の要旨を逸脱しない範囲で、種々の省略、置き換え、変更、組み合わせを行うことができる。上記の実施形態やその変形は、発明の範囲や要旨に含まれるとともに、特許請求の範囲に記載された発明とその均等の範囲に含まれる。
【００６８】
例えば、上記実施形態では、定置スキャナ１４を用いてコードシンボルを読み取る構成としたが、この構成に限らないものとする。例えば、セルフＰＯＳ１は、コードシンボルを読み取ることが可能なハンディタイプのスキャナ装置を別途備えてもよい。また、セルフＰＯＳ１は、コードシンボルを読み取ることが可能なスキャナ装置を払込用紙入出部１８に備える構成としてもよい。この構成を採用する場合、例えば、スキャナ装置は、入出口１８１と押印部１８２２との間に設けられ、入出口１８１から挿入された払込用紙ＰのバーコードＢ１から払込情報を読み取る。
【００６９】
また、上記実施形態では、商品の金額を特定可能な情報として商品コードを読み取る構成としたが、読み取り対象の情報はこれに限らないものとする。例えば、商品に付されたコードシンボル（例えば二次元コード）に、商品コードや商品名、金額等の商品情報が保持されている場合、コード情報取得部１１１は、定置スキャナ１４によって読み取られた商品情報を取得する構成としてもよい。また、定置スキャナ１４が商品のオブジェクト認識機能を有する場合、コード情報取得部１１１は、定置スキャナ１４で読み取られた商品の特徴を示す情報（特徴情報）を取得してもよい。この場合、ＰＬＵファイルは、各商品の特徴情報と商品情報とを対応付けて格納し、コード情報取得部１１１が取得した特徴情報と比較することで該当する商品の商品情報を特定することが可能であるとする。
【００７０】
また、上記実施形態では、払込用紙Ｐの挿入と払込受領証Ｐ３の排出とを同一の入出口１８１から行う構成としたが、これに限らず、それぞれ独立した口から挿入と排出とを行う構成としてもよい。
【００７１】
また、上記実施形態では、払込受領証Ｐ３に押印する構成としたが、他の紙片に押印欄が設けられている場合には、当該押印欄にも押印する構成としてもよい。この場合、押印部１８２２が他の紙片に押印する印は受領印と同一であってもよいし、各紙片に応じた内容の印を押印してもよい。後者の場合、押印部１８２２は、紙片毎にスタンプを用意する構成としてもよいし、押印する印影画像を切り替える構成としてもよい。
【００７２】
また、上記実施形態では、切断部１８２３は、払込用紙Ｐから払込受領証Ｐ３を切り離す構成としたが、払込取扱票Ｐ１と振替払込請求書兼受領証Ｐ２とについても切り離す構成としてもよい。更には、切断部１８２３は、払込取扱票Ｐ１と振替払込請求書兼受領証Ｐ２とを完全に切り離すのではなく、一部が接続された状態で途中まで切り離すパーシャルカットを施してもよい。なお、払込取扱票Ｐ１と振替払込請求書兼受領証Ｐ２とを完全に切り離す場合、両紙片を同一の収納部１８２４に収納してもよいし、それぞれ異なる収納部１８２４に収納する構成としてもよい。
【００７３】
また、上記実施形態では、セルフ方式のセルフＰＯＳ１を例に説明したが、他の方式の商品販売データ処理装置に適用してもよい。例えば、商品販売データ処理装置は、店員が商品の登録と決済とを行う、通常の商品販売データ処理装置（例えばＰＯＳ端末）であってもよい。
【００７４】
また、上記実施形態の各装置で実行されるプログラムは、当該装置が備える記憶媒体（ＲＯＭ等）に予め組み込んで提供するが、プログラムの提供方法はこれに限らない。例えば、プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。更に、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００７５】
また、上記実施形態の各装置で実行されるプログラムをインターネット等のネットワークに接続されたコンピュータ上に格納し、ネットワーク経由でダウンロードさせることで提供してもよいし、インターネット等のネットワーク経由で提供又は配布するように構成してもよい。
【符号の説明】
【００７６】
１  セルフＰＯＳ
１０  本体部
１０１  制御部
１１１  コード情報取得部
１１２  商品登録部
１１３  収納代行支援部
１１４  決済処理部
１８  払込用紙入出部
１８１  入出口
１８２  用紙処理部
１８２１  搬送部
１８２２  押印部
１８２３  切断部
１８２４  収納部
１８２５  搬送路
Ｐ  払込用紙
Ｐ１  払込取扱票
Ｐ２  振替払込請求書兼受領証
Ｐ３  払込受領証
Ｐ４  保管用書類
【先行技術文献】
【特許文献】
【００７７】
【特許文献１】特開２０１２−９３９７３号公報
【図１】
2019128779.tif 000003
【図２】
2019128779.tif 000004
【図３】
2019128779.tif 000005
【図４】
2019128779.tif 000006
【図５】
2019128779.tif 000007
【図６】
2019128779.tif 000008